(57)【特許請求の範囲】
【請求項１】
同一の放送局から同一の中心周波数で多重放送される所定の優先順位に応じた識別番号が付与された複数のサービスから一のサービスを選択して受信可能なＤＡＢ受信機において、
受信するサービスの変更を指示するアップキーおよびダウンキーと、
前記同一の中心周波数で放送される複数のサービスの中で最大ではない識別番号が付与されたサービスを受信中に前記アップキーが操作された場合、受信中のサービスに付与された識別番号の次に大きい識別番号が付与されたサービスの受信に変更し、
前記同一の中心周波数で放送される複数のサービスの中で最小ではない識別番号が付与されたサービスを受信中に前記ダウンキーが操作された場合、受信中のサービスに付与された識別番号の次に小さい識別番号が付与されたサービスの受信に変更し、
前記同一の中心周波数で放送される複数のサービスの中で最大の識別番号が付与されたサービスを受信中に前記アップキーが操作された場合、受信中のサービスが放送される中心周波数とは異なる中心周波数で放送される複数のサービスの中で最小の識別番号が付与されたサービスの受信に変更し、
前記同一の中心周波数で放送される複数のサービスの中で最小の識別番号が付与されたサービスを受信中に前記ダウンキーが操作された場合、受信中のサービスが放送される中心周波数とは異なる中心周波数で放送される複数のサービスの中で最大の識別番号が付与されたサービスの受信に変更する制御部とを備えたことを特徴とするＤＡＢ受信機。
【発明の詳細な説明】
【０００１】
【発明の属する技術分野】
本発明は、同一の放送局から同一の中心周波数で複数のサービスを受信可能な多重放送受信機に関する。
【０００２】
【従来の技術】
従来のＡＭ、ＦＭラジオでは、特定の周波数で放送を受信すると、その放送内容が１つのサービス（番組）で構成されていたり、または、ＦＭ多重放送やＲＤＳである場合には、１つのサービスとその補助データとで構成されていたりする。したがって、受信サービスをユーザーが変更する場合、受信周波数を上下に変化させるだけの操作を行えばよく、この操作の過程で最初に検出されたサービスを受信することによってサービスの変更が行われる。また、このようにして受信したサービス以外のサービスを受信する場合には、受信周波数を再び上下に変化させ、この過程で最初に検出されたサービスを受信し、所望のサービスを受信するまで上記動作を繰り返す。
【０００３】
【発明が解決しようとする課題】
ところが、ＤＡＢでは、１つの放送局が特定の１つの中心周波数を使用して、６〜８個等の複数のサービスを同時に放送するので、受信時にＤＡＢの中心周波数を特定しただけでは、そのＤＡＢに含まれているサービスのうちのどのサービスを受信するかについては特定されていない。この場合、ユーザーがサービスの変更を行う操作を実行すると、上記従来例においては、次に受けることができるサービスが決められていないので、１つの中心周波数で受信できるたとえば６つのサービスのうちのどのサービスを受けられるのか不明である。特に、車載用受信機においては、１つの中心周波数で受信できる複数のサービスのうちのどのサービスを受けられるのか不明であると、混乱を招く可能性がある。
【０００４】
本発明は、同一の放送局から同一の中心周波数で複数のサービスを同時に受信可能な多重放送受信機において、受信すべきサービスを変更するキーを操作したときに、１つの中心周波数で受信できる複数のサービスのうちのどのサービスを受けられるのかが不明であることによる混乱を招くことがない多重放送受信機を提供することを目的とするものである。
【０００５】
【課題を解決するための手段】
本発明は、同一の放送局から同一の中心周波数で多重放送される所定の優先順位に応じた識別番号が付与された複数のサービスから一のサービスを選択して受信可能なＤＡＢ受信機において、受信するサービスの変更を指示するアップキーおよびダウンキーと、前記同一の中心周波数で放送される複数のサービスの中で最大ではない識別番号が付与されたサービスを受信中に前記アップキーが操作された場合、受信中のサービスに付与された識別番号の次に大きい識別番号が付与されたサービスの受信に変更し、前記同一の中心周波数で放送される複数のサービスの中で最小ではない識別番号が付与されたサービスを受信中に前記ダウンキーが操作された場合、受信中のサービスに付与された識別番号の次に小さい識別番号が付与されたサービスの受信に変更し、前記同一の中心周波数で放送される複数のサービスの中で最大の識別番号が付与されたサービスを受信中に前記アップキーが操作された場合、受信中のサービスが放送される中心周波数とは異なる中心周波数で放送される複数のサービスの中で最小の識別番号が付与されたサービスの受信に変更し、前記同一の中心周波数で放送される複数のサービスの中で最小の識別番号が付与されたサービスを受信中に前記ダウンキーが操作された場合、受信中のサービスが放送される中心周波数とは異なる中心周波数で放送される複数のサービスの中で最大の識別番号が付与されたサービスの受信に変更する制御部とを備えたものである。
【０００６】
【発明の実施の形態および実施例】
図１は、本発明の一実施例である多重放送受信機Ｒ１のブロック図である。
【０００７】
多重放送受信機Ｒ１は、ＤＡＢ用ＲＦ信号復調部１０と、ＤＡＢ用ディジタル復調部２０と、増幅部ＡＭＰと、スピーカＳＰと、制御部３０と、操作キー群４０と、サービス受信履歴用メモリ５０と、サービス名表示部６０とを有する。
【０００８】
ＤＡＢ用ディジタル復調部２０は、ＤＡＢ用ＲＦ信号復調部１０からベース・バンド信号を受け、ＤＡＢから受信したデータ信号を制御部３０に出力し、制御部３０からの制御信号に応じたオーディオ信号を出力するものである。
【０００９】
制御部３０は、多重放送受信機Ｒ１の全体を制御するとともに、中心周波数を変更したときに最初に受信できるサービスを、所定の優先順位に基づいて指定するものである。操作キー群４０は、電源スイッチ、受信周波数選択用つまみ、受信サービスを変更するアップキー、ダウンキー等を有するものである。
【００１０】
サービス受信履歴用メモリ５０は、現在までに受信していたサービスを記憶するメモリである。なお、１つの中心周波数で受信できる複数のサービスのそれぞれにサービスＩＤ（数値）が付与されている。サービス名表示部６０は、現在受信しているサービス名等を表示するものである。
【００１１】
次に、上記実施例の動作について説明する。
【００１２】
図２は、上記実施例の動作を示すフローチャートである。
【００１３】
まず、多重放送受信機Ｒ１に電源を投入すると、過去に受信していたサービス（前回、電源を切ったときに受信していたサービス）を受信する（Ｓ１）。過去に受信していたサービスが不定である場合には、ＤＡＢアンサンブルでサービスＩＤ（識別番号）が最小であるサービスを受信する。そして、操作キー群４０中のアップキーが押されると（Ｓ２）、アップキーが押される直前に受信していたサービスのサービスＩＤが、受信中のＤＡＢアンサンブルに対応するサービスＩＤの中で最大値でなければ（Ｓ３）、受信中のＤＡＢアンサンブルに対応するサービスの中で次に大きいサービスＩＤを有するサービスを受信する（Ｓ４）。
【００１４】
一方、受信中のサービスのサービスＩＤが、受信中のＤＡＢアンサンブルに対応するサービスのＩＤの中で最大値であれば（Ｓ３）、中心周波数を変更し、他のＤＡＢアンサンブルを受信し、このＤＡＢアンサンブルに対応するサービスの中で最小のサービスＩＤを有するサービスを受信する（Ｓ５）。
【００１５】
また、ダウンキーが押され（Ｓ６）、受信中のサービスＩＤが、受信中のＤＡＢアンサンブルに対応するサービスのＩＤの中で最小値でなければ（Ｓ７）、受信中のＤＡＢアンサンブルに対応するサービスの中で次に小さいサービスＩＤを有するサービスを受信する（Ｓ８）。
【００１６】
一方、受信中のサービスのＩＤが、受信中のＤＡＢアンサンブルに対応するサービスのサービスＩＤの中で最小値であれば（Ｓ７）、中心周波数を変更し、他のＤＡＢアンサンブルに対応するサービスの中で最大のサービスＩＤを有するサービスを受信する（Ｓ９）。
【００１７】
上記実施例において、サービスＩＤ（数値）は、所定の優先順位に応じて、次第にその数値が多くなる（または少なくなる）ように設定されている。その優先順位は、たとえば、サービスの内容（ＰＴＹ（Ｐｒｏｇｒａｍ  Ｔｙｐｅ））に応じてサービスＩＤの数値が予め決められる。つまり、ユーザーが所定の基準にしたがって、サービスの順位を決定し、この順位に従ってサービスＩＤの数値を決めることによって、その優先順位を決定するようにしてもよい。たとえば、アナウンス情報、音質の優れた情報、言語に関する情報、交通情報、天気情報等の各サービスの順でサービスＩＤの数値を大きくするように（または小さくするように）決めることによって、その優先順位を決定するようにしてもよい。
【００１８】
また、アナウンス情報のうちでも、好みのサービス順にサービスＩＤの数値を決めることによって、その優先順位を決定するようにしてもよく、音質の優れたサービスでも、その優れている順にサービスＩＤの数値を決めることによって、その優先順位を決定するようにしてもよく、また、言語に関するサービスのうちでも、好みのサービス順にサービスＩＤの数値を決めることによって、その優先順位を決定するようにしてもよく、さらには、受信地域別にサービスを分類し、このうちで、好みの地域順にサービスＩＤの数値を決めることによって、その優先順位を決定するようにしてもよい。
【００１９】
上記実施例において、所定の優先順位に基づいて、次に受信すべきサービスが指定されるので、受信すべきサービスを変更するキーを操作したときに、１つの中心周波数で受信できる複数のサービスのうちのどのサービスを受けられるのかが明瞭であり、これが不明であることによる混乱を招くことがない。
【００２０】
図３は、上記実施例において、サービス内容が変更になった場合に対応する動作を示すフローチャートである。
【００２１】
まず、操作キー群４０中のアップキーが押されると（Ｓ１１）、次に大きいＩＤを有するサービスを選択する（Ｓ１２）。また、ダウンキーが押されると（Ｓ１１）、次に小さいＩＤを有するサービスを選択する（Ｓ１２）。このようにして選択されたサービスの順序が、過去に記憶された順序と異なり（Ｓ１３）、この選択されたサービスＩＤがサービス受信履歴用メモリ５０に記憶されていなければ（Ｓ１４）、過去に受信したことがないサービス（新たなサービス）が選択された旨を、サービス名表示部６０に表示する（Ｓ１５）。
【００２２】
このように表示することによって、過去に受信したことがないサービスを初めて受信することを、確実に認識することができる。
【００２３】
また、アップキー、ダウンキーを押すことによって選択されたサービスの順序が、過去に記憶された順序と異なり（Ｓ１３）、この選択されたサービスＩＤがサービス受信履歴用メモリ５０に記憶されており（Ｓ１４）、選択されたサービスＩＤの順序が過去に記憶されている順序と異なっていた場合には（Ｓ１６）、そのＤＡＢアンサンブルに対応するサービスの内容が、過去に受信していた状態から変更され場合であり、この旨がサービス名表示部６０に表示される（Ｓ１７）。
【００２４】
このように表示することによって、サービスＩＤ自体が変化したのではないが、所定のＤＡＢアンサンブルに対応するサービス内容が変更されたことを、確実に認識することができる。
【００２５】
【発明の効果】
本発明によれば、同一の放送局から同一の中心周波数で複数のサービスを受信可能な多重放送受信機において、受信すべきサービスを変更するキーを操作したときに、１つの中心周波数で受信できる複数のサービスのうちのどのサービスを受けられるのかが明瞭であり、これが不明であることによる混乱を招くことがないという効果を奏する。
【図面の簡単な説明】
【図１】本発明の一実施例である多重放送受信機Ｒ１のブロック図である。
【図２】上記実施例の動作を示すフローチャートである。
【図３】上記実施例において、サービス内容が変更になった場合に対応する動作を示すフローチャートである。
【符号の説明】
Ｒ１…多重放送受信機、
１０…ＤＡＢ用ＲＦ信号復調部、
２０…ＤＡＢ用ディジタル復調部、
４０…操作キー群
３０…制御部、
５０…サービス受信履歴用メモリ、
６０…サービス名表示部。
【図１】
0003578427.tif 000002
【図２】
0003578427.tif 000003
【図３】
0003578427.tif 000004